(57)【要約】      （修正有）【解決手段】保安装置Ａを、箱体１と、該箱体の側面に取り付けられた端子板４と、第一線路５と、一次巻線７ａと二次巻線７ｂとの間に配置された遮蔽導体７ｃを有するとともに前記第一線路に配置された第一絶縁トランス７と、第二線路と６、一次巻線８ａと二次巻線８ｂとの間に配置された遮蔽導体８ｃを有するとともに前記第二線路に配置された第二絶縁トランス８とにより構成するとともに、前記第一絶縁トランスと前記第二絶縁トランスとが同一接地接続されており、且つ、前記端子板を、ケーブル側端子４ａと被接続機器側端子４ｂとに別個に配置したものである。【効果】線路に印加されたサージ等が、絶縁トランスの遮蔽導体により、低いサージ等に抑えられるので、大地電位の上昇が低く、従って、線路に接続された被接続機器を確実に保護することができる。【選択図】図２
2005151705.tif 000002
【特許請求の範囲】
【請求項１】
箱体と、該箱体の側面に取り付けられた端子板と、第一線路と、一次巻線と二次巻線との間に配置された遮蔽導体を有するとともに前記第一線路に配置された第一絶縁トランスと、第二線路と、一次巻線と二次巻線との間に配置された遮蔽導体を有するとともに前記第二線路に配置された第二絶縁トランスとにより構成されているとともに、前記第一絶縁トランスと前記第二絶縁トランスとが同一接地接続されており、且つ、前記端子板が、ケーブル側端子と被接続機器側端子とに別個に配置されていることを特徴とする保安装置。
【請求項２】
複数の線路に構成された前記絶縁トランスと、交流を直流に変換する、少なくとも１個の整流器と、直流を交流に変換するインバータとが配置されていることを特徴とする請求項１に記載の保安装置。
【請求項３】
複数の線路で構成された第一線路と第二線路とにそれぞれ配置された絶縁トランスを有し、且つ、前記絶縁トランスの一次巻線と二次巻線の間に配置された遮蔽導体が同一接地接続されているとともに、第一線路及び第二線路にそれぞれ対応して、整流器、インバータ及び絶縁トランスが配置されていることを特徴とする請求項１又は請求項２に記載の保安装置。
【発明の詳細な説明】
【技術分野】
【０００１】
本発明は、線路に接続された機器（以下、被接続機器という。）を、線路に侵入するサージ等から保護するための保安装置に関するものである。
【背景技術】
【０００２】
従来、被接続機器を、サージ等から保護するために、保安装置が使用されており、―例として、線路と接地間に、放電形のガス入りアレスタとバリスタ等からなる保安装置を配設して、該保安装置により、線路に侵入したサージ等を大地に放流し、被接続機器を保護している。このような保安装置は、一例として、特許文献１に開示されている。
【特許文献１】特公平０３−２８８９３号公報
【発明の開示】
【発明が解決しようとする課題】
【０００３】
上述した従来のガス入りアレスタとバリスタ等からなる保安装置は、サージ等が線路に侵入した際に、ガス入りアレスタとバリスタ等が動作して、サージ等を大地に放流し、被接続機器に損傷を与えない程度の電圧とすることにより、被接続機器を、サージ等から保護するものであるが、従来の保安装置においては、十分な接地抵抗値が得られなかつたり、経時老化等で、接地抵抗値が高抵抗になり、そこにサージ電流が流れると、大地電位が高電位となり、この高電圧が、被接続機器に印加して、被接続機器が損傷し、結果として、従来の保安装置により、被接続機器が保護できないという問題があった。
【０００４】
また、複数線路からなり、これらの複数線路を介して接続された被接続機器に、複数個、配設された保安装置の各々のガス入りアレスタの放電動作の差や接地点の接地抵抗の差による電位差により、被接続機器が損傷を受けるという問題があった。
【０００５】
本発明の目的は、上述した従来の保安装置が有する課題を解決することにある。
【課題を解決するための手段】
【０００６】
本発明は、上述した目的を達成するために、第１には、保安装置を、箱体と、該箱体の側面に取り付けられた端子板と、第一線路と、一次巻線と二次巻線との間に配置された遮蔽導体を有するとともに前記第一線路に配置された第一絶縁トランスと、第二線路と、一次巻線と二次巻線との間に配置された遮蔽導体を有するとともに前記第二線路に配置された第二絶縁トランスとにより構成するとともに、前記第一絶縁トランスと前記第二絶縁トランスとが同一接地接続されており、且つ、前記端子板を、ケーブル側端子と被接続機器側端子とに別個に配置したものであり、第２には、複数の線路に構成された前記絶縁トランスと、交流を直流に変換する、少なくとも１個の整流器と、直流を交流に変換するインバータとを配置したものであり、第３には、複数の線路で構成された第一線路と第二線路とにそれぞれ配置された絶縁トランスを有し、且つ、前記絶縁トランスの一次巻線と二次巻線の間に配置された遮蔽導体を同一接地接続するとともに、第一線路及び第二線路にそれぞれ対応して、整流器、インバータ及び絶縁トランスを配置したものである。
【０００７】
本発明は、上述した構成を有しているので、以下に記載する効果を奏することができる。
【０００８】
線路に印加されたサージ等が、絶縁トランスの遮蔽導体により、低いサージ等に抑えられるので、大地電位の上昇が低く、従って、線路に接続された被接続機器を確実に保護することができる。
【０００９】
第一絶縁トランスの遮蔽導体と第二絶縁トランスの遮蔽導体とを、同一接地接続としたので、第一線路と第二線路の線路に電位差が生ぜず、従って、線路に接続された被接続機器の損傷を確実に防止することができ、保安装置の信頼性が向上する。
【実施例】
【００１０】
以下に、本発明の実施例について説明するが、本発明の趣旨を越えない限り、何ら、本実地例に限定されるものではない。
【００１１】
図１において、１は、鉄箱等からなる箱体であり、箱体１の相対する短辺側側面（幅の狭い側面）２には、絶縁板３が取り付けれている。相対する短辺側側面２に取着された絶縁板３には、後述する箱体１内に配設された絶縁トランス等の線路が接続される端子板４が、ケーブル側端子（入力側）４ａ及び被接続機器（機器側）端子４ｂに区分されて、識別容易、且つ、接続容易となるように、それぞれ配置されている。また、線路毎の端子板４は、更に、第一線路と第二線路に区別されて配置されている。
【００１２】
次に、上述した端子板４が取り付けられている箱体１に収容される保安装置の回路構成について説明する。
【００１３】
５，６は、電源供給等のための給電線としての線路であり、５は、第一線路であり、６は、第二線路である。第一線路５には、第一絶縁トランス７が配設されており、第一絶縁トランス７の一次巻線７ａと二次巻線７ｂとの間には、金属からなる遮蔽導体７ｃが配置されている。そして、第一絶縁トランス７の一次巻線７ａ側の線路５ａは、ケーブル側端子（入力側）４ａに接続されており、また、二次巻線７ｂ側の線路５ｂは、被接続機器側端子（出力側）４ｂに接続されている。
【００１４】
同様に、第二線路６には、第二絶縁トランス８が配設されており、第二絶縁トランス８の一次巻線８ａと二次巻線８ｂとの間には、金属からなる遮蔽導体８ｃが配置されている。そして、第二絶縁トランス８の一次巻線８ａ側の線路６ａには、交流を直流に変換する整流器９が接続されており、また、二次巻線８ｂ側の線路６ｂは、第一線路５の二次巻線７ｂ側の線路５ｂに接続されているとともに、二次巻線８ｂ側の線路６ｂからの分岐回路が設けられており、この分岐回路には、電磁開閉器１０の接点部１０ａ、１０ｂが接続されている。電磁開閉器１０は、単独回路を構成しており、被接続機器側端子４ｂに接続されている。更に、第一絶縁トランス７の遮蔽導体７ｃと第二絶縁トランス８の遮蔽導体８ｃとは、被接続機器側端子４ｂの接地端子Ｅに、同一接地接続されている。このようにして、保安装置Ａが構成されている。なお、Ｌ１は、表示灯である。
【００１５】
次に、上述した回路構成を有する保安装置Ａの動作について説明する。
【００１６】
通常時において、ケーブル側端子４ａに接続された所定電圧の交流電源が、第一線路５に印加され第一絶縁トランス７を通じて、被接続機器側端子４ｂに供給され、被接続機器に交流電源が供給されている。また、交流電源が、第一線路５に配置された第一絶縁トランス７の二次巻線７ｂを通じて、第二線路６に配置された第二絶縁トランス８の二次巻線８ｂに供給され、一次巻線８ａを介して、整流器９が、交流を直流に変換して、ケーブル側端子４ａに直流電源を供給するように構成されている。
【００１７】
いま、線路５に、サージ等が印加すると、サージ等は、第一絶縁トランス７の遮蔽導体７ｃを介して、接地端子Ｅから大地に吸収されて、大地電位が低く抑えられ、線路５を低い安全な電圧にして、線路５に接続された被接続機器を、サージ等から保護するとともに、線路６も同一接地の同電位により保護されることになる。
【００１８】
また、線路６に、サージ等が印加すると、サージ等は、第二絶縁トランス８の遮蔽導体８ｃを介して、接地端子Ｅから大地に吸収されて、大地電位が低く抑えられ、線路６を低い安全な電圧にして、線路６に接続された被接続機器を、サージ等から保護するとともに、線路５も同一接地の同電位により保護されることになる。
【００１９】
図３は、本発明の他の実施例の保安装置Ａの回路構成図であり、図２と同一回路構成については、同一符号を付して説明する。
【００２０】
１１、１２は、電源供給等のための給電線としての線路であり、１１は、第一線路であり、１２は、第二線路である。第一線路には、第一絶縁トランス７が配設されており、第一絶縁トランス７の一次巻線７ａと二次巻線７ｂとの間には、金属からなる遮蔽導体７ｃが配置されている。また、第一絶縁トランス７の一次巻線７ａ側の線路１１ａには、直流を交流に変換するインバータ１３が接続されているとともに、第一絶縁トランス７の交流側は、ケーブル側端子４ａに接続されている。更に、二次巻線７ｂ側の線路１１ｂには、交流を直流に変換する整流器９が接続されており、第一絶縁トランス７の直流側は、被接続機器側端子４ｂに接続されている。更にまた、第一絶縁トランス７の二次巻線７ｂからの線路１１ｂには、分岐線路１１ｂ’が設けられており、直に、他の被接続機器側端子４ｂに接続されている。
【００２１】
第二線路１２には、第二絶縁トランス８が配設されており、第二絶縁トランス８の一次巻線８ａと二次巻線８ｂとの間には、金属からなる遮蔽導体８ｃが配置されている。また、第二絶縁トランス８の一次巻線８ａ側の線路１２ａには、交流を直流に変換する整流器９が接続されており、整流器９の直流側は、ケーブル側端子４ａに接続されている。更に、第二絶縁トランス８の二次巻線８ｂ側の線路１２ｂは、被接続機器側端子４ｂに接続されている。
【００２２】
図３に示されている保安装置Ａは、その回路構成が、図２に示されている保安装置Ａの回路構成と、その一部において相違するが、絶縁トランス７、８の構成及び動作は同じであり、サージ処理も同じであるので、その説明は省略する。
【００２３】
図４は、本発明の更に他の実施例の保安装置Ａの回路構成図であり、図２、図３と同一構成については、同一符号を付して説明する。
【００２４】
１４は、上述した第一線路５、１１と同様の第一線路である。第一線路１４には、第一絶縁トランス７が配設されており、第一絶縁トランス７の一次巻線７ａと二次巻線７ｂとの間には、金属からなる遮蔽導体７ｃが配置されている。
【００２５】
第一絶縁トランス７の一次巻線７ａ側の線路１４ａには、直流を交流に変換するインバータ１３が接続されており、インバータ１３の直流側は、ケーブル側端子４ａに接続されている。また、第一絶縁トランス７の二次巻線７ｂ側の線路１４ｂには、交流を直流に変換する整流器９が接続されており、整流器９の直流側は、被接続機器側端子４ｂに接続されている。なお、図４には、第一線路１４の回路構成のみしか記載していないが、第二線路は、第一線路１４と同じ回路構成であるので、図示が省略されている。
【００２６】
また、図４に示されている回路構成は、図２、図３に示されている回路構成と相違するが、サージ等を吸収する絶縁トランス７、８の構成及び動作は同じであり、サージ処理も同じであるので、その説明は省略する。
【００２７】
上述したように、本発明の保安装置Ａにおいては、遮蔽導体７ｃ、８ｃを有する絶縁トランス７、８を、線路５、６、１１、１２、１４に配置することにより、線路５、６、１１、１２、１４に印加されたサージ等を、絶縁トランス７、８の遮蔽導体７ｃ、８ｃにより処理し、よって、被接続機器へのサージ等の侵入を防止することができる。
【００２８】
また、絶縁トランス７、８の遮蔽導体７ｃ、８ｃを、同一接地としたので、複数線路５、６、１１、１２、１４に接続されている被接続機器にサージ等が印加された際の電圧は、サージ等が印加されない他の線路５、６、１１、１２、１４と同一電圧となり、従って、電圧差が生じないから、被接続機器の損傷を、確実に保護することができる。
【図面の簡単な説明】
【００２９】
【図１】図１は、本発明の保安装置の箱体の外観図であり、図１ａは、正面図であり、図１ｂは、左側面図であり、図１ｃは、背面図である。
【図２】図２は、本発明の保安装置の回路構成図である。
【図３】図３は、本発明の保安装置の他の実施例の回路構成図である。
【図４】図４は、本発明の保安装置の更に他の実施例の回路構成図である。
【符号の説明】
【００３０】
Ａ・・・・・・・・・・・・・・・保安装置
１・・・・・・・・・・・・・・・箱体
３・・・・・・・・・・・・・・・絶縁板
４・・・・・・・・・・・・・・・端子板
４ａ・・・・・・・・・・・・・・ケーブル側端子
４ｂ・・・・・・・・・・・・・・機器側端子
５、１１、１４・・・・・・・・・第一線路
６、１２・・・・・・・・・・・・第二線路
７・・・・・・・・・・・・・・・第一絶縁トランス
７ａ・・・・・・・・・・・・・・一次巻線
７ｂ・・・・・・・・・・・・・・二次巻線
７ｃ・・・・・・・・・・・・・・遮蔽導体
８・・・・・・・・・・・・・・・第二絶縁トランス
８ａ・・・・・・・・・・・・・・一次巻線
８ｂ・・・・・・・・・・・・・・二次巻線
８ｃ・・・・・・・・・・・・・・遮蔽導体
９・・・・・・・・・・・・・・・整流器
１０・・・・・・・・・・・・・・電磁開閉器
１３・・・・・・・・・・・・・・インバータ
【図１】
2005151705.tif 000003
【図２】
2005151705.tif 000004
【図３】
2005151705.tif 000005
【図４】
2005151705.tif 000006